(57)【特許請求の範囲】
【請求項１】
長手方向等断面形状の長尺成形品からなり、帯板状の基部（１）と該基部の上面から起立するヒレ部（２）とを備えるガスケット本体（Ａ）と、
前記ヒレ部のうち最前列のヒレ部の裏面から後方位置で前記ガスケット本体に係止させた紐状体（Ｂ）と、を具備することを特徴とする目地用ガスケット。
【請求項２】
前記紐状体がガスケット本体と一体成形される請求項１に記載の目地用ガスケット。
【請求項３】
長手方向等断面形状の長尺成形品からなり、帯板状の基部（１）と該基部の上面から起立するヒレ部（２）とを備えるガスケット本体（Ａ）と、該ガスケット本体とは別体の紐状体（Ｃ）を用意し、
壁パネルの一側面に前記ガスケット本体を配設すると共に、前記紐状体を前記ヒレ部のうち最前列のヒレ部の裏面から後方位置でガスケット本体に沿わせた状態とし、次いで、前記壁パネルと隣合う壁パネルをガスケット本体上に接触させるようにして両壁パネルを組合せ、しかる後、前記紐状体を壁パネル表側へ引っ張り出し壁パネルに接触して捩れていたヒレ部の捩れ部分或いは逆向きに傾倒したヒレ部を解除することを特徴とする目地用ガスケットの壁パネルへの取付け方法。
【発明の詳細な説明】
【０００１】
【産業上の利用分野】
本発明は、ユニット住宅等の建物の目地に取着される目地用ガスケットおよび目地用ガスケットの壁パネルへの取付け方法に関する。
【０００２】
【従来の技術】
住宅などで、外壁間をはじめ、上下左右の壁パネル（人造板，繊維板，合板，ボード等）が組み合わされる継ぎ目部分には目地（縦目地，横目地）が存在する。斯る目地をそのまま放置すると、目地から雨水等が侵入するため、防水処理を施すことになる。
上下の壁パネル間に在る横目地の防水処理にあっては、従来、縦目地と違いコーキング処理を行うことが多かったが、施工が複雑であり雨天時の作業ができないといった問題や経年劣化による防水性低下の問題等があり、横目地についても、施工の簡易性，確実性から、押出成形で得られるゴム製品等の定形ガスケットを用いることが近年多くなってきた。
横目地を定形ガスケットでシールする場合には、例えば次のような施工方法が採られていた。下階壁パネル６の上側面６１に目地用ガスケット８を貼り付け、その後、上階壁パネル７をガスケット８の上に載せ組みつけていく施工法である（図１１）。
【０００３】
【発明が解決しようとする課題】
しかし、上記施工法では上階壁パネル７をガスケットの上に載せて下階壁パネル６との位置合せをして動かす際、ガスケットのヒレ部８２が捩れる傾向にあった（図１２の鎖線）。そして、捩れ部分α，βでは、ガスケット８と上階壁パネル７との間に隙間をつくり、そこから水が侵入する問題があった。また、ヒレ部が全長にわたって図１２の鎖線の方に逆向き傾倒する場合があり、この場合は捩れ部分がなく隙間発生しないものの、防水ラインが減少し止水能力の低下を招いた。
さらに困ったことに、最前列のヒレ部８２に捩れ部分αができた場合は、手間がかかるものの目視確認でチェックしこれを修復できたが、最前列より後列にあるヒレ部８２が捩れているケースβでは、ヒレ部が正規の状態になっているかどうか確認しようがなかった。
【０００４】
本発明は上記問題点を解決するもので、横目地内にヒレ部が捩れた状態でセットされたり正規の方向に向かず全長にわたりヒレ部先端が後方にひっくり返ったりしても、これを簡単に解除し正規姿勢に修正できる目地用ガスケットおよび目地用ガスケットの壁パネルへの取付け方法を提供することを目的とする。
【０００５】
【課題を解決するための手段】
上記目的を達成すべく、請求項１に記載の発明の要旨は、長手方向等断面形状の長尺成形品からなり、帯板状の基部（１）と該基部の上面から起立するヒレ部（２）とを備えるガスケット本体（Ａ）と、前記ヒレ部のうち最前列のヒレ部の裏面から後方位置で前記ガスケット本体に係止させた紐状体（Ｂ）と、を具備することを特徴とする目地用ガスケットにある。ここで、「最前列のヒレ部の裏面から後方位置で」とは、ヒレ部が複数あるケースでは最前列のヒレ部の裏面（背面）を含んでここから後方の位置となり、ヒレ部が１本しかない場合には該ヒレ部の裏面を含んでここから後方の位置を意味する。
請求項２の発明に係る目地用ガスケットは、請求項１で、紐状体がガスケット本体と一体成形されることを特徴とする。
請求項３に記載の発明の要旨は、長手方向等断面形状の長尺成形品からなり、帯板状の基部（１）と該基部の上面から起立するヒレ部（２）とを備えるガスケット本体（Ａ）と、該ガスケット本体とは別体の紐状体（Ｃ）を用意し、壁パネルの一側面に前記ガスケット本体を配設すると共に、前記紐状体を前記ヒレ部のうち最前列のヒレ部の裏面から後方位置でガスケット本体に沿わせた状態とし、次いで、前記壁パネルと隣合う壁パネルをガスケット本体上に接触させるようにして両壁パネルを組合せ、しかる後、前記紐状体を壁パネル表側へ引っ張り出し壁パネルに接触して捩れていたヒレ部の捩れ部分或いは逆向きに傾倒したヒレ部を解除することを特徴とする目地用ガスケットの壁パネルへの取付け方法にある。
【０００６】
【発明の実施の形態】
以下、本発明を実施形態に基づいて詳述する。
（１）実施形態１
図１〜図４は、本発明に係る目地用ガスケット（以下、単に「ガスケット」という。）の一実施形態を示す。図１はガスケットの横断面図、図２，図３は該ガスケットの目地への一取付け手順を示す斜視図、図４は図３の捩れ部分での拡大横断面図である。
ガスケットは押出成形で得られる加硫ゴム製品で、その横断面が図示のごとくの長手方向等断面形状になっている。ガスケット本体は、弾性変形が可能で（弾性率やヤング率が低い）、軟らかくて粘り強く、よく伸びる加硫ゴムの基本的な特徴が生かされている。
【０００７】
ガスケットは、ガスケット本体Ａと紐状体Ｂとからなり、該ガスケット本体Ａは、ここでは基部１とヒレ部２とからなる。隣接する上下階壁パネル６，７がつくる横断面凹形の横目地幅δを封じ込んで水分封止する機能を発揮する（図４のイ）。具体的には、下階壁パネル６の上側面６１に貼着した基部１から上方に延びるヒレ部２を上階壁パネル７の下側面７１へ押圧，当接させることによってゴムの弾性力を生かし目地９を覆いシールする。
【０００８】
基部１は、帯板形状で、目地用ガスケットとしてガスケット本体Ａを下階壁パネル６の上側面６１に安定載置できるよう、底面１４（すなわち図１の下面）を平らにしている。基部１の幅はヒレ部２を起立状態に保てるよう所定長さをもち、その長さはヒレ部２の形成個数によって多少変わる。基部１は、本実施形態のようにその厚みが全体に亘り同じでもよいが、ヒレ部２の腰を強くしたり補強等の観点からヒレ部根元等を太くすることもできる。
【０００９】
ヒレ部２は基部１の上面でやや前傾姿勢で起立する弓状体になっている。前記基部に該ヒレ部２を加えた高さｈ1 が横目地幅δより若干大きく設定される（図２，図３）。ゴム弾性の特長を活かし、ヒレ部２を屈曲変形させて横目地内に配置しシール機能を発揮させるためである。ヒレ部２は、その弾性復元力で目地内壁（上階の壁パネルの下側面）を押圧し目地９を封じる。前述のごとく、ヒレ部２を前傾姿勢とするのは、両壁パネルを組合わせてガスケットが目地を封じる際、意匠面側へ前傾状態の正規の姿勢（図４のイ）を確保し易くするためである。ヒレ部２の個数についてここでは２個とするが、状況にあわせて１または複数個が基部上面１１で所定間隔をとって設けられる。なお、ヒレ部２の最前列（図１のイ，ロでは左側のヒレ部）のヒレ部前面や、前記基部１の前面が意匠面となる場合は、必要に応じそれらの部分には壁パネルの外装色の色調に合わせたり耐候性向上させたりする外装層が形成される。
【００１０】
紐状体Ｂは、下階の壁パネル６の上側面６１にガスケットを貼着した後、上階の壁パネルを載せることにより両壁パネル６，７が組み合わさって目地δができるが、斯る状況下で、意匠面側にある最前列のヒレ部２ａの裏面から後方側に配される。具体的には、図１（イ）のごとく最後列のヒレ部裏面２１に紐状体Ｂを係止したり、図１（ロ）のごとく基部１の後端部分１２に紐状体Ｂを係止したりする。勿論、最前列のヒレ部裏面２１に紐状体Ｂを係止することも本発明の範囲内にある。ただ、これだとその後方に位置するヒレ部２の修復には役立たない。最後列のヒレ部２ｂの裏面２１または最後列ヒレ部２ｂより後方位置の基部１に紐状体Ｂを係止させるのが、ヒレ部２の捩れ部分α，βや逆向き傾倒の修復に最善となる。本実施形態では、以下、図１（イ）のケースについて説明していく。紐状体Ｂは、ここでは断面積がほぼ円形太めの長尺ゴムからなり、その一部分が括れ部３となってガスケット本体Ａとつながる。紐状体Ｂはガスケット本体主要部と同じゴム質で、上記ガスケット本体Ａと一体成形で造られる。ゴム製のガスケット本体Ａ，紐状体Ｂは、必要に応じてゴム材料の他、熱硬化性樹脂，熱可塑性樹脂，補強剤，軟化剤，加硫助剤，加工助剤，加硫促進剤，加硫剤，消泡剤等が添加されている。
紐状体Ｂの一部分がヒレ部２の裏面（背面）に線状に結合して係止し、ガスケット本体Ａの長手方向に向けて紐状体Ｂが付随するようにしてガスケット本体Ａと一体成形される。紐状体Ｂは括れ部３でヒレ部２に係止されているので、紐状体Ｂを手で引っ張ることでガスケット本体Ａから該紐状体Ｂを容易に引き離すことができる。紐状体Ｂの引き離しで、該紐状体Ｂが簡単に切れないよう文字通り太めの紐状になっている。
なお、本実施形態では一体成形で紐状体Ｂをガスケット本体Ａに係止させているが、他の手段で係止させることもできる。例えば、製法にやや手間がかかるが、別体の紐状体Ｂ（材質を変えてもよい）をガスケット本体Ａに接着や粘着テープなどの仮止め等により係止させることもできる。
【００１１】
次に、このように構成したガスケットの壁パネルへの取付け方法の一例を説明する。
まず、図２（イ）のごとく、ガスケットを所定の長さＬにカットする。この長さＬは、例えば目地用にガスケット本体Ａとして３ｍ必要な場合には余剰分Ｌ1 を加味して３ｍ１０ｃｍとする。
次いで、ガスケット端部にある紐状体Ｂを１１〜１５ｃｍ程度引き剥す（図２のロ）。しかる後、余剰分Ｌ1 に係るガスケット本体Ａの箇所を切断する。
こうして出来たガスケットを下階の壁パネル６の上側面６１へ粘着テープ等で貼着して配設し、続いて、図３（イ）のように前記下階壁パネル６に隣合う上階の壁パネル７を前記ガスケット上に接触させるようにして組み合わせて目地９を形成すると同時に該目地にガスケットが装着される。そして、上階壁パネル７を位置合わせすべく適宜動かし調整する。この位置合せ調整等によりヒレ部２に捩れ部分α，βが発生したり後方に傾倒したりする場合がでてくる（図４のロ，ハ）。
その後、前述の引き剥された紐状体部分Ｂ1 を手に持って、図３（ロ）の矢印方向すなわち壁パネル表面側へ引っ張る。紐状体Ｂを引っ張り、ガスケット本体Ａから該紐状体Ｂを引き剥していくことで、紐状体Ｂがヒレ部２の頭２２を後方から撫でるようにして引き出され，ヒレ部２の捩れ部分α，βが修復，解除される。最後列にあるヒレ部２ｂの裏面２２に紐状体Ｂを係止させているので、全て（ここでは２個しかないが）のヒレ部２ａ，２ｂの頭２２が全長に亘って後方から撫でられる。その結果、ヒレ部２の捩れ部分α，βの全てが修復される。ヒレ部２が全長にわたって正規の前傾姿態（図４のイ）で上階の壁パネル７に当接するようになる。かくのごとく、両壁パネル６，７の目地９にガスケットが正常な形で簡単に取付けられる。
【００１２】
（２）実施形態２
本実施形態は、図５のごとく、長手方向等断面形状の長尺成形品のガスケット本体Ａと、これと別体の紐状体Ｃとからなる。
ここでは、図示のごとくガスケット本体Ａから紐状体Ｃが初めから離れた状態にある。ガスケット本体Ａは、括れ部３で紐状体Ｃを係止していない点を除けば実施形態１と同じであり、ガスケット本体Ａの詳細説明を省く。
紐状体Ｃは引張強度の大きなものを採用する。すなわち、紐状体Ｃには伸び難く且つ前記紐状体Ｃに用いたゴム質より強度的に優れた丈夫な材質が選択されている。具体的には、繊維原料或いは金属線などを紐状，糸状にしたもの等である。実施形態１ではガスケット本体Ａと同じゴム質からなるため、紐状体Ｃを不必要な力で引っ張り出したとき伸びたり切れたりすることがある。引張強度が大きな紐状体Ｂを採用することによって、斯る不具合を解消する。
他の構成は実施形態１と同様で、その説明を省略する。実施形態２と同一符号は同一又は相当部分を示す。
【００１３】
次に、上記ガスケット本体Ａと紐状体Ｃを使ったガスケットの壁パネルへの一取付け方法について説明する。
まず、ガスケット本体Ａを壁パネルに合わせた所定長さにカットする。紐状体Ｃが当初からガスケット本体Ａと別体であるため、実施形態１で述べた余剰分Ｌ1 を加味する必要はない。そうして、横目地９を形成する下階の壁パネル６の上側面６１に前記ガスケット本体Ａを載置させる。
次いで、紐状体Ｃを最前列のヒレ部２ａの裏面から後方に位置するヒレ部２ｂ若しくは基部１に沿わせた状態とする。ここでは、紐状体Ｃを最後列のヒレ部２ｂの裏面側２１に沿わせている。紐状体Ｃの両端を支持した状態下で、続いて、前記下階壁パネル６と隣合う上階の壁パネル７をガスケット上に接触させるように両壁パネル６，７を組み合わせる。この組合せで目地９が形成され、と同時に該目地内にガスケットが装着される。そして、下階の壁パネル６との位置合せ調整を行う。斯る位置合せ調整で上階パネル７に前傾姿勢で当接しなければならないヒレ部２が、図６の鎖線のごとく場所によっては捩れたり或いは全長にわたってヒレ部２ａ，２ｂが後方に倒れてしまうケースが発生する。
【００１４】
そこで、しかる後、紐状体Ｃの一端を固定しながら他端を壁パネル表面側へ引っ張り出す。紐状体Ｃが図６の矢印のように壁パネル表面側（左側）へ抜き出される過程で、ヒレ部２ａ，２ｂの箇所ではその抜け道がヒレ部２ａ，２ｂと上階壁パネル７との間しかないため、紐状体Ｃは捩れ部分α，βを起こし、これを紐状体Ｃの引抜き方向すなわち正規の前傾姿勢に矯正していく（図７）。全長にわたってヒレ部２が後方側に傾倒している場合も前傾姿勢の正規姿勢に向きを変える。かくして、上壁パネル７に接触して捩れていたヒレ部２の捩れ部分α，βやヒレ部２が後方側に全長にわたって倒れる不良設置が解除，修復され、壁パネル６，７の目地９にガスケットが正常に取付けられる。
【００１５】
（３）実施形態３
図８は、実施形態１，２で扱った以外で本発明の範囲内にある他形態のガスケットの一例を示す。図８（イ）は基部上面１１にヒレ部２ａ〜２ｃを３本設け、最後列のヒレ部裏面２１に括れ部３を介して紐状体Ｂを係止させたものである。図８（ロ）は最後列のヒレ部２ｂより後方に位置する基部１の上面１１に括れ部３を介して紐状体Ｂを係止するものである。また、ここでは最前列のヒレ部裏面２１にも紐状体Ｂを係止する。図８（イ），（ロ）はガスケット本体Ａと紐状体Ｂを同質の材料で一体成形している。図８（ハ）は、外形は図８とほぼ同じであるが、紐状体Ｂにゴム材と異なる引張強度の大なる材質を選定して、該紐状体を一体押出成形でガスケット本体Ａとの一体化を図る。紐状体Ｂの周面には被膜５が形成される。図８（ニ）では、紐状体Ｂに引張強度の大なる材質を選ぶが、ガスケット本体Ａと相溶性の材料を選択して紐状体Ｂが括れ部３のみでガスケット本体Ａに係止される形態になっている。
その他、実施形態１，２と同一符号は同一又は相当部分を示し基本構成が同じであり、その説明を省く。
【００１６】
（４）実施形態４
本実施形態は、図９（イ），（ロ）のごとくガスケット本体Ａが基部１とヒレ部２と該ヒレ部と異なる止水体４を備えるものである。基部１にヒレ部２と止水体４を一体形成する。止水体４は、長手方向等断面の筒部で、その頭部４１が弾撥性をもって上階壁パネル７の下側面７１（対向目地壁）に当接して目地９をシールする。紐状体Ｂは、最前列のヒレ部２の裏面から後方位置でガスケット本体Ａに係止されていれば足り、例えば図９（イ）の鎖線で示すように止水体４に係止されるものであってもよい。
その他、実施形態１と同一符号は同一又は相当部分を示しその説明を省く。
【００１７】
（５）効果
このように構成した目地用ガスケットおよび目地用ガスケットの壁パネルへの取付け方法は、上下階の壁パネル６，７をセットした後、紐状体Ｂを壁パネル表面側へ単に引っ張り出すだけで、全ての捩れ部分α，βや逆向き傾倒が解除されて正規の状態になるので、捩れ部分α，β等の修正作業が極めて容易になる。紐状体Ｂは、引っ張り出される過程で、ガスケット本体Ａから括れ部３のところで引き裂かれていき、ヒレ部２の頭２２をガスケット全域に亘って撫でてヒレ部２を前傾姿勢にし終わった後、ガスケット本体Ａから簡単に分離することができる。ヘラなどを使って捩れ部分α，β等を直す苦労から開放される。
さらに、目視確認が困難な状況にあった後方のヒレ部２ｂも、その頭２２をガスケット全域に亘って撫でてヒレ部２を前傾姿勢にするようにして紐状体Ｂが目地外へ引張りだされるので、その問題を解決する。後方のヒレ部２ｂ，２ｃも正規の前傾姿勢を保ち、確実な止水機能を発揮する。ここで、紐状体Ｂは図１（イ）のようにヒレ部裏面２１に係止してもよいが、紐状体Ｂを大きくした場合にヒレ部２の垂れ下がりや、紐状体Ｂを引っ張り出す際に該ヒレ部２にクセを付けてしまうことがある。図１（ロ）のように基部１に紐状体Ｂを係止するのがより好適とされる。
【００１８】
そして、実施形態１，３では、紐状体Ｂがガスケット本体Ａと一体成形されて造られるので、壁パネル６，７へのガスケット本体Ａの取付け作業が容易になる。同時成形で造るので、後から接着剤等で付ける製造工程が省け、生産性向上，低コスト化を達成できる。
また、実施形態２や実施形態３の図８（ハ）のごとく紐状体Ｂ，Ｃにゴム質と違って伸び難く強度的にも十分なものを使用すると、施工時に紐状体Ｂ，Ｃが切れたりせず、ガスケットの取付け作業を円滑に進めることができる。該紐状体Ｂが被覆膜５で包まれて一体成形されると、紐状体Ｂを接着剤等でガスケット本体Ａに後付けする手間がなくなる。薄い被覆膜５であるため、該紐状体Ｂを引っ張り出す際、被覆膜５が破れ易くなっており、ガスケットの取付け作業がはかどる。さらに、図８（ニ）のごとく、紐状体Ｂをガスケット本体Ａと相溶性材料を選択しながら引張強度の大なる材質で造ると、接着剤がいらなくなり、しかも図８（ロ）のように紐状体周囲に被覆膜５を形成する必要がなくなり、括れ部３の一部分でガスケット本体Ａと紐状体Ｂとの一体化を図ることができる。そして、両者の引き離しが一層行い易くなるので、作業性に富みより好ましくなる。
一方、実施形態２のように、紐状体Ｃが別体のものは、ガスケット本体Ａに一体化したものに比べて作業性がやや劣る。ガスケットの取付け作業に先立ち、紐状体Ｃを基部１やヒレ部２に沿わせたり、紐状体Ｃの一端部を引っ張り出す際に他端部を固定する必要があったりする。しかしながら、本発明の基本的効果は得られ、捩れ部分α，β等の修復作業を可能にする。
【００１９】
尚、本発明においては、前記実施例に示すものに限られず、目的，用途に応じて本発明の範囲で種々変更できる。ガスケット本体Ａ，紐状体Ｂ，Ｃ等の形状，大きさ，材質等は用途に合わせて適宜選択できる。実施形態では本発明品を横目地に適用したが、図１０のごとく縦目地にも勿論適用できる。例えば、壁パネル６ａの縦目地９を形成する戸口（一側面）に実施形態１に係る本ガスケットの底面を両面テープ等で取着して（図１０のイ）、その後、隣りの壁パネル６ｂを組付け、しかる後、紐状体Ｂを引抜くことによってヒレ部２の捩れ部分等を解除することが可能である。
【００２０】
【発明の効果】
以上のごとく、本発明の目地用ガスケットおよび目地用ガスケットの壁パネルへの取付け方法は、壁パネルへ目地用ガスケットを装着した後、紐状体を単に引張り出すだけで意匠面側だけでなくその奥に在るヒレ部までもその捩れ部分や逆向き傾倒をきれいに修復，解除することができ極めて有益となる。
【図面の簡単な説明】
【図１】実施形態１の目地用ガスケットの横断面図である。
【図２】図１の目地用ガスケットに係るガスケット本体の目地への一取付け手順を示す斜視図である。
【図３】図１の目地用ガスケットに係るガスケット本体の目地への一取付け手順を示す斜視図である。
【図４】図３の横断面図で、（イ）はヒレ部が正規の姿態にある箇所での横断面図、（ロ）は捩れ部分αでの横断面図、（ハ）は捩れ部分βでの横断面図である。
【図５】実施形態２の目地用ガスケットの壁パネルへの取付け方法を示す横断面図である。
【図６】実施形態２の目地用ガスケットの壁パネルへの取付け方法を示す横断面図である。
【図７】実施形態２の目地用ガスケットの壁パネルへの取付け方法を示す横断面図である。
【図８】実施形態３の目地用ガスケットの横断面図である。
【図９】実施形態４の目地用ガスケットの横断面図である。
【図１０】縦目地に実施形態１の目地用ガスケットを取着した状態を示す斜視図である。
【図１１】従来技術の説明斜視図である。
【図１２】従来技術の説明断面図である。
【符号の説明】
１            基部
２            ヒレ部
２１          ヒレ部裏面
６，７        壁パネル
６１          上側面（一側面）
７１          下側面（一側面）
９            目地（縦目地，横目地）
Ａ            ガスケット本体
Ｂ，Ｃ        紐状体
α，β        捩れ部分
【図１】
0003987206.tif 000002
【図２】
0003987206.tif 000003
【図３】
0003987206.tif 000004
【図４】
0003987206.tif 000005
【図５】
0003987206.tif 000006
【図６】
0003987206.tif 000007
【図７】
0003987206.tif 000008
【図８】
0003987206.tif 000009
【図９】
0003987206.tif 000010
【図１０】
0003987206.tif 000011
【図１１】
0003987206.tif 000012
【図１２】
0003987206.tif 000013